(57)【要約】【課題】カレンダー表を用いて女性の妊娠に関する情報を比較的簡単、便利及び高い精度で提供する。【解決手段】女性用電子カレンダーシステムでは、妊娠可能期間記憶手段は、特定排卵日記憶手段により記憶された排卵日ｎＳの日数と、検知排卵日記憶手段により記憶された排卵日ｎＭの日数とを比較して、各日数のうち少ない日数を妊娠可能期間の基準の排卵日とする基準排卵日ｎＢとし、この基準排卵日ｎＢに基づいて演算された妊娠可能期間を記憶する。【選択図】図９
2016189142.tif 000002
【特許請求の範囲】
【請求項１】
２４時間経過する毎にカレンダーに基づいた年、月及び日を生成するカレンダーデータ生成手段と、
該カレンダーデータ生成手段に基づいて、数字、文字又は記号が配列されたカレンダー表を表示するためのカレンダー表示手段と、
該カレンダー表示手段により表示される前記カレンダー表に入力するためのカレンダー入力手段と、
該カレンダー入力手段により入力して、各生理周期の生理初日日の情報を記憶するための生理初日日記憶手段と、
該生理初日日記憶手段により記憶された情報に基づいて、入力された前記生理初日日を第１日として各生理周期の周日データを生成し、各生理周期の周期日数の情報を記憶して、該周期日数から演算された平均周期日数を記憶するための周期情報記憶手段と、
前記カレンダー入力手段により入力して、頸管粘液の伸び長さに応じた情報を記憶するための頸管粘液情報記憶手段と、
前記頸管粘液情報記憶手段により記憶された情報に基づいて、検知排卵日を検知するための排卵日検知手段と、
該排卵日検知手段に基づいて、前記検知排卵日と共に、生理周期の生理初日日を第１日として該生理周期内の前記検知排卵日まで経過した日数を検知周期排卵日として記憶するための検知排卵日記憶手段と、
前記周期情報記憶手段により記憶された情報に基づいて、前記平均周期日数から所定日数を差し引いた日を演算して特定排卵日とするための排卵日特定手段と、
該排卵日特定手段に基づいて、前記特定排卵日と共に、生理周期の生理初日日を第１日として該生理周期内の前記特定排卵日まで経過した日数を特定周期排卵日として記憶するための特定排卵日記憶手段と、
前記検知排卵日記憶手段の情報と、前記特定排卵日記憶手段の情報と、前記周期情報記憶手段の情報とにより演算された妊娠し易い期間とする妊娠可能期間の情報を記憶するための妊娠可能期間記憶手段と、
該妊娠可能期間記憶手段に基づいて、前記カレンダー表示手段により前記妊娠可能期間を前記カレンダー表に表示する妊娠可能期間表示手段とを備え、
前記妊娠可能期間記憶手段は、前記特定排卵日記憶手段により記憶された前記特定周期排卵日の日数と、前記検知排卵日記憶手段により記憶された前記検知周期排卵日の日数とを比較して、各日数のうち少ない日数を妊娠可能期間の基準の排卵日とする基準排卵日とし、この基準排卵日に基づいて演算された妊娠可能期間を記憶する女性用電子カレンダーシステム。
【請求項２】
前記カレンダー入力手段により性交が行われた日とする性交日の情報を入力して、性交日の情報を記憶するための性交日情報記憶手段と、
該性交日情報記憶手段により記憶された情報と、前記検知排卵日記憶手段により記憶された前記検知周期排卵日の情報とに基づいて、妊娠と判断された情報により妊娠の告知をするための妊娠告知情報を記憶するための妊娠告知情報記憶手段と、
該妊娠告知情報記憶手段に基づいて、前記カレンダー表示手段により前記妊娠告知情報を前記カレンダー表に表示する妊娠告知情報表示手段とを備える請求項１に記載の女性用電子カレンダーシステム。
【請求項３】
前記妊娠告知情報記憶手段の情報に基づいて演算された出産予定日の情報を記憶するための出産予定日記憶手段と、該出産予定日記憶手段の情報に基づいて、前記カレンダー表に出産予定日を表示する出産予定日表示手段とを備える請求項２に記載の女性用電子カレンダーシステム。
【請求項４】
前記カレンダー入力手段により希望出産月の情報を入力して、この希望出産月の情報を入力した日を設定日として、この設定日と、希望出産月の情報とを記憶するための希望出産月設定記憶手段と、
該希望出産月設定記憶手段の情報に基づいて演算された妊娠し易い日として推奨する妊娠推奨日を記憶する妊娠推奨日記憶手段とを備える請求項１乃至請求項３のいずれか一項に記載の女性用電子カレンダーシステム。
【請求項５】
前記カレンダー入力手段により前記生理初日日を入力して、この生理初日日から演算された次回生理予定日の情報を記憶するための次回生理予定日記憶手段を備え、
該次回生理予定日記憶手段は、前記周期情報記憶手段により演算された前記平均周期日数と、各生理周期内の前記検知周期排卵日の日数における平均値とにより演算された前記次回生理予定日を記憶する請求項１乃至請求項４のいずれか一項に記載の女性用電子カレンダーシステム。
【発明の詳細な説明】
【技術分野】
【０００１】
本発明は、女性用電子カレンダーシステムに関する。
【背景技術】
【０００２】
従来、開示されている特許文献１の生理周期予測プログラムでは、基礎体温を測定する体温測定手段と、この体温測定手段により測定された基礎体温と、生理初日日を第１日として各生理周期の周期日数の情報を記憶するための周期情報記憶手段と、この周期情報記憶手段に基づいて次回生理初日日を予測するための次回生理予定日予測手段とを備える。また、周期情報記憶手段に基づいて次回排卵日を予測するための次回排卵日予測手段を備える。体温測定手段は、基礎体温計等を用いて朝目覚めた時の静止状態の基礎体温を測定し、基礎体温の測定結果から排卵日等を特定する。また次回排卵日予測手段に基づいて、検知された排卵日から次回排卵日を予測してカレンダー表に表示する表示手段を備える。また次回生理予定日予測手段に基づいて、次回生理初日日等を予測してカレンダー表に表示する表示手段を備え、これらの情報から出産日を予測する出産予定日を表示する表示手段を備える。このように、妊娠に関する情報を記憶し、カレンダー表に表示されるので、測定した基礎体温の記録から次回の生理日や排卵日を予測して表示することに加え、数ヶ月先に至る生理初日日、排卵日や出産予定日を予測し表示することができる。
【先行技術文献】
【特許文献】
【０００３】
【特許文献１】特開２００９−４５１５５号公報
【発明の概要】
【発明が解決しようとする課題】
【０００４】
しかし、上記特許文献１の生理周期予測プログラムでは、カレンダー表に表示される生理初日日、排卵日、次回排卵日、次回生理初日日及び出産予定日等の妊娠に関する情報が、基礎体温の測定結果に伴って演算されている。従って、それらの情報を得るため、多忙で規則的に基礎体温計等を用いて朝目覚めた時の静止状態の基礎体温を測定できない人や基礎体温の測定が面倒で測りたくない人にとっては、基礎体温のデータ等がない又は不足して正確な測定が容易ではなく実用性に乏しかった。また基礎体温によって測定する場合、体温計の精度及び測定方法により信頼度に差異が生ずる。
【０００５】
本発明は、上記の問題点を鑑みて創案されたものであり、本発明が解決しようとする課題は、カレンダー表を用いて女性の妊娠に関する情報を比較的簡単、便利及び高い精度で提供することにある。
【課題を解決するための手段】
【０００６】
本発明の女性用電子カレンダーシステムは、２４時間経過する毎にカレンダーに基づいた年、月及び日を生成するカレンダーデータ生成手段と、このカレンダーデータ生成手段に基づいて、数字、文字又は記号が配列されたカレンダー表を表示するためのカレンダー表示手段とを備える。また女性用電子カレンダーシステムは、このカレンダー表示手段により表示されるカレンダー表に入力するためのカレンダー入力手段を備える。また女性用電子カレンダーシステムは、カレンダー入力手段により入力して、各生理周期の生理初日日の情報を記憶するための生理初日日記憶手段を備える。また女性用電子カレンダーシステムは、この生理初日日記憶手段により記憶された情報に基づいて、入力された前記生理初日日を第１日として各生理周期の周日データを生成し、各生理周期の周期日数の情報を記憶して、この周期日数から演算された平均周期日数を記憶するための周期情報記憶手段を備える。また女性用電子カレンダーシステムは、カレンダー入力手段により入力して、頸管粘液の伸び長さに応じた情報を記憶するための頸管粘液情報記憶手段と、頸管粘液情報記憶手段により記憶された情報に基づいて、検知排卵日を検知するための排卵日検知手段とを備える。また女性用電子カレンダーシステムは、この排卵日検知手段に基づいて、検知排卵日と共に、生理周期の生理初日日を第１日としてこの生理周期内の検知排卵日まで経過した日数を検知周期排卵日として記憶するための検知排卵日記憶手段を備える。また女性用電子カレンダーシステムは、周期情報記憶手段により記憶された情報に基づいて、平均周期日数から所定日数を差し引いた日を演算して特定排卵日とするための排卵日特定手段を備える。また女性用電子カレンダーシステムは、この排卵日特定手段に基づいて、特定排卵日と共に、生理周期の生理初日日を第１日としてこの生理周期内の特定排卵日まで経過した日数を特定周期排卵日として記憶するための特定排卵日記憶手段を備える。また女性用電子カレンダーシステムは、検知排卵日記憶手段の情報と、特定排卵日記憶手段の情報と、周期情報記憶手段の情報とにより演算された妊娠し易い期間とする妊娠可能期間の情報を記憶するための妊娠可能期間記憶手段を備える。また女性用電子カレンダーシステムは、この妊娠可能期間記憶手段に基づいて、カレンダー表示手段により妊娠可能期間をカレンダー表に表示する妊娠可能期間表示手段とを備える。妊娠可能期間記憶手段は、特定排卵日記憶手段により記憶された特定周期排卵日の日数と、検知排卵日記憶手段により記憶された検知周期排卵日の日数とを比較して、各日数のうち少ない日数を妊娠可能期間の基準の排卵日とする基準排卵日とし、この基準排卵日に基づいて演算された妊娠可能期間を記憶する。
【０００７】
この場合、妊娠可能期間記憶手段は、特定排卵日記憶手段により記憶された特定周期排卵日の日数と、検知排卵日記憶手段により記憶された検知周期排卵日の日数とを比較して、各日数のうち少ない日数を妊娠可能期間の基準の排卵日とする基準排卵日としているので、荻野式を用いた特定による排卵日と、頸管粘液法に基づく排卵日との対比により行われることで比較的高い精度の妊娠可能期間を算出するための情報を提供することができる。またこの基準排卵日に基づいて演算された妊娠可能期間を記憶するので、カレンダー表を用いて女性の妊娠に関する情報を比較的簡単、便利及び高い精度で表示することができる。
【０００８】
またこの女性用電子カレンダーシステムでは、カレンダー入力手段により性交が行われた日とする性交日の情報を入力して、性交日の情報を記憶するための性交日情報記憶手段と、この性交日情報記憶手段により記憶された情報と、検知排卵日記憶手段により記憶された検知周期排卵日の情報とに基づいて、妊娠と判断して妊娠の告知をするための妊娠告知情報を記憶するための妊娠告知情報記憶手段とを備えることが好ましい。また女性用電子カレンダーシステムは、この妊娠告知情報記憶手段に基づいて、カレンダー表示手段により妊娠告知情報をカレンダー表に表示する妊娠告知情報表示手段を備えることが好ましい。この場合、妊娠の告知に関する情報を比較的簡単、便利及び高い精度で提供することができる。
【０００９】
またこの女性用電子カレンダーシステムでは、妊娠告知情報記憶手段の情報に基づいて演算された出産予定日の情報を記憶するための出産予定日記憶手段と、この出産予定日記憶手段の情報に基づいて、カレンダー表に出産予定日を表示する出産予定日表示手段とを備えることが好ましい。この場合、出産予定日に関する情報を比較的簡単、便利及び高い精度で提供することができる。
【００１０】
またこの女性用電子カレンダーシステムでは、カレンダー入力手段により希望出産月の情報を入力して、この希望出産月の情報を入力した日を設定日として、この設定日と、希望出産月の情報とを記憶するための希望出産月設定記憶手段を備えることが好ましい。また女性用電子カレンダーシステムは、希望出産月設定記憶手段の情報に基づいて演算された妊娠し易い日として推奨する妊娠推奨日を記憶する妊娠推奨日記憶手段を備えることが好ましい。この場合、妊娠推奨日に関する情報を比較的簡単、便利及び高い精度で提供することができる。
【００１１】
またこの女性用電子カレンダーシステムでは、カレンダー入力手段により生理初日日を入力して、次回生理予定日の情報を記憶するための次回生理予定日記憶手段を備えることが好ましい。またこの次回生理予定日記憶手段は、周期情報記憶手段により演算された平均周期日数と、各生理周期内の検知周期排卵日における日数の平均値とにより演算された次回生理予定日を記憶することが好ましい。この場合、次回生理予定日に関する情報を比較的簡単、便利及び高い精度で提供することができる。
【発明の効果】
【００１２】
本発明によれば、カレンダー表を用いて女性の妊娠に関する情報を比較的簡単、便利及び高い精度で提供できる。
【図面の簡単な説明】
【００１３】
【図１】本発明の一実施形態に係る表示装置の第一表示画面の例を示した図である。
【図２】第二表示画面の例を示した図である。
【図３】図１及び図２に示されるアイコンの説明図である。
【図４】第三表示画面の例を示した図である。
【図５】本発明の一実施形態に係るマイクロコンピュータの構成を示したブロック図である。
【図６】荻野式を用いた排卵日算出の説明図である。
【図７】頸管粘液法を用いた排卵日算出の説明図である。
【図８】頸管粘液法による排卵日の検知を行うためのフローチャートである。
【図９】妊娠可能期間を表示するためのフローチャートである。
【図１０】妊娠可能期間の表示を停止するためのフローチャートである。
【図１１】妊娠告知表示を行うためのフローチャートである。
【図１２】出産予定日表示を行うためのフローチャートである。
【図１３】次回生理予定日の表示を行うためのフローチャートである。
【図１４】次回生理予定日の表示不能通知を行うためのフローチャートである。
【図１５】妊娠推奨日の算出の例を示した説明図である。
【図１６】希望出産月の設定と出産予定日の表示を行うためのフローチャートである。
【発明を実施するための形態】
【００１４】
本発明の一実施形態について説明する。本実施形態では、女性用電子カレンダーシステムは、マイクロプロセッサを用いたマイクロコンピュータＭＣＵを含むシステムにより行われる。図５に示されるマイクロコンピュータＭＣＵは、制御するためのＣＰＵ２と、予めプログラムやデータを格納するためのＲＯＭ４と、各種データを記録するためのＲＡＭ６と、ユーザから操作入力された指示や各種情報を受け付ける操作受付部（図示しない）と、この操作受付部によって受け付けられた各種情報を表示するための表示装置（図示しない）とを備える。表示装置は、主に妊娠に関する情報を携帯電話、スマートフォン又はパソコンの画面等を用いて表示される女性用電子カレンダーを表示するための装置である。
【００１５】
表示装置は、生理等に関する情報を表示する図１に示される表示部１０と、液晶による表示部１０の画面上をタッチして操作可能なタッチパッド等を用いて位置を入力する機能を有する図５に示される画面操作部１２とを一体的に組み合わせたタッチパネル（図示しない）を備える。ユーザは、表示部１０の画面の表示画像をタッチして操作することで表示部１０から指示して操作ができる。なお画面操作部１２（タッチパネル）は、本発明のカレンダー入力手段に相当する。
【００１６】
図１に示される表示部１０は、矩形状に形成された表示画面である。表示部１０は、図５に示される画面操作部１２により操作可能である第一表示画面２２が表示される。第一表示画面２２は、マトリクス状にセルや英字、数字、文字又は記号等が並んで表示される。第一表示画面２２は、カレンダー表示部３と、自動表示部５と、メモ表示部７とを備える。カレンダー表示部３は、タッチ（タップ）することで画面操作部１２により画面が切り替えられ、カレンダー表示部３に出力する情報を入力するための第二表示画面２４を表示するためのものである。自動表示部５は、カレンダー表示部３の設定に基づいて演算された結果を表示するためのものである。メモ表示部７は、タッチすることで画面操作部１２より画面が切り替えられ、メモ表示部７に出力する情報を入力するための第三表示画面２６を表示するためのものである。なお第一表示画面２２は、他に第一表示画面２２から第二表示画面２４に切り替えるための画面切り替えアイコン９と、第一表示画面２２の過去に入力したアイコンを所定日数以内であれば取り消し可能にするための取り消しアイコン１１とが設けられている。
【００１７】
カレンダー表示部３は、図１に示すように横方向アドレスＡ〜Ｇと、縦方向アドレス１〜１２との双方に対応したアドレス１Ａ〜１２Ｇに基づく表示セル３ａ、３ｂ、３ｃ、３ｄが表示される。表示セル３ａ、３ｂ、３ｃ、３ｄは、矩形状に形成されたセルによってマトリクス状に配置されている。なおカレンダー表示部３は、本発明のカレンダー表に相当する。
【００１８】
表示セル３ａは、図１に示すようにアドレス１Ａ〜１Ｄに対応した横長の１つのマス目で表示されたセルである。表示セル３ａは、後述するカレンダー機能に従って、年、月が表示される。表示セル３ｂは、アドレス２Ａ〜２Ｇに対応して各々矩形状に形成されたマス目によって区分されたセルである。表示セル３ｂは、左端から右端まで日曜日〜土曜日を示す日〜土が順に横並びに表示されて日〜土の曜日が表示される。
【００１９】
表示セル３ｃは、図１に示すようにアドレス３Ａ〜３Ｇ、５Ａ〜５Ｇ、７Ａ〜７Ｇ、９Ａ〜９Ｇ及び１１Ａ〜１１Ｇに対応して各々矩形状に形成されたマス目によって区分されたセルである。表示セル３ｃは、カレンダーの日付を表示するためのものである。この日付を表す当日は、着色して表示される。表示セル３ｄは、アドレス４Ａ〜４Ｇ、６Ａ〜６Ｇ、８Ａ〜８Ｇ、１０Ａ〜１０Ｇ及び１２Ａ〜１２Ｇに対応して各々矩形状に形成されたマス目によって区分されたセルである。表示セル３ｄは、表示セル３ｃの日付に対応した生理情報等を示すためのアイコンを表示するためのものである。表示セル３ｄは、該当のセルをタップすると、そのセルが変色する。その変色した状態で第一表示画面２２の画面切り替えアイコン９をタップすることで、第一表示画面２２から第二表示画面２４に切り替わる。このようにして、画面切り替えアイコン９を操作して入力することで、第二表示画面２４にリンクしている。
【００２０】
図２に示される第二表示画面２４は、生理情報に関するアイコンを表示し、このアイコンをタッチ（タップ）して入力することで第一表示画面２２に切り替え、第一表示画面２２に出力して表示するためのものである。第二表示画面２４は、第一表示画面２２と同様に、画面操作部１２によって操作可能である。第二表示画面２４は、マトリクス状にセルや英字、数字、文字又は記号等が並んで表示される。第二表示画面２４は、第一表示画面２２に出力するためのアイコン表示部Ａを備える。また第二表示画面２４は、他に第二表示画面２４から第一表示画面２２に画面を切り替えて戻すための戻るセル２４４と、第二表示画面２４からのアイコンを選択して第一表示画面２２に画面を切り替えてこのアイコンに関する情報を表示するための決定セル２４０と、第二表示画面２４からのアイコンを選択して第一表示画面２２に画面を切り替えてこのアイコンに関する情報を取り消すための取り消しセル２４２が設けられている。なお第二表示画面２４は、一定時間が経過すると、元の第一表示画面２２に戻り、第一表示画面２２の画面切り替えアイコン９のタップした情報がリセットされる。
【００２１】
アイコン表示部Ａは、横方向アドレスＡ〜Ｇと、縦方向アドレスＮ１〜Ｎ３との双方に対応したアドレスＮ１Ａ〜Ｎ３Ｇに基づく表示セル２４ａ、２４ｂ、２４ｃが表示される。表示セル２４ａ、２４ｂ、２４ｃは、全体として矩形状に形成されたセルである。表示セル２４ａ、２４ｂ、２４ｃは、矩形状に形成されたセルが区分けされている。その区分けされたセルがマトリクス状に配置されている。表示セル２４ａ、２４ｂ、２４ｃは、表示セル２４ａから表示セル２４ｃまで上から順に配置されている。
【００２２】
表示セル２４ａは、Ｎ１Ａ〜Ｎ１Ｇに対応して各々矩形状に形成されたマス目によって区分されたセルである。表示セル２４ａは、アドレス番号を表示するためのものである。アドレス番号が１〜７まで左から順に各マス目に順に表示される。
【００２３】
表示セル２４ｂは、Ｎ２Ａ〜Ｎ２Ｇに対応して各々矩形状に形成されたマス目によって区分されたセルである。表示セル２４ｂは、生理初日日、頸管粘液及び性交等の情報を入力するためのアイコンを表示するためのものである。表示セル２４ｂは、図２に示すように左から順に右へ６種類のアイコンが並んで表示されている。６種類のアイコンは、生理初日日アイコン３１と、頸管粘液少アイコン３２と、頸管粘液中アイコン３３と、頸管粘液多アイコン３４と、性交アイコン３５と、希望出産月設定アイコン３８である。表示セル２４ｂは、これらのアイコンのうち該当するアイコンをタッチ（タップ）して、第二表示画面２４の決定セル２４０をタップすることで、第二表示画面２４から第一表示画面２２に切り替わる。そのタップされたアイコンが、第一表示画面２２のカレンダー表示部３の表示セル３ｃの日付に対応した表示セル３ｄに表示される。
【００２４】
生理初日日アイコン３１は、図２及び図３に示すように各生理周期の生理初日日を示すためのアイコンであり、月の横に星を付したマークで示されている。頸管粘液少アイコン３２は、頸管粘液の伸びが僅かであること、又は頸管粘液がほとんど伸びなくなったことを示すアイコンである。頸管粘液少アイコン３２は、円内部の４分の１にあたる領域を着色して塗りつぶして表示された円状のアイコンである。頸管粘液中アイコン３３は、頸管粘液の伸びが５ｃｍ程度になった場合を示すアイコンである。頸管粘液中アイコン３３は、円内部の２分の１にあたる領域を着色して塗りつぶして表示された円状のアイコンである。頸管粘液多アイコン３４は、頸管粘液の伸びが１０ｃｍ以上になった場合を示すアイコンである。頸管粘液多アイコン３４は、円内部の４分の３にあたる領域を着色して塗りつぶして表示された円状のアイコンである。性交アイコン３５は、性行為があったことを示すアイコンである。性交アイコン３５は、ハート形の形状で内部を着色して塗りつぶして表示されたアイコンである。なおこれらのアイコンの形状はこれに限定されるものではなく適宜変更してもよい。
【００２５】
表示セル２４ｃは、図２に示すようにＮ３Ａ〜Ｎ３Ｇに対応して、Ｎ３Ａ〜Ｎ３Ｃを１つのマス目とし、Ｎ３Ｄ〜Ｎ３Ｇを１つのマス目とした２つのマス目に区分されたセルである。表示セル２４ｃの左側のマス目は、希望出産月が表示され、右側のマス目は、その希望出産月に対応する年、月が表示される。
【００２６】
図１に示される第一表示画面２２の自動表示部５は、自動的に演算されてアイコン、日付等が表示される。自動表示部５は、横方向アドレスＡ〜Ｅと、縦方向アドレス１３〜１５との双方に対応したアドレス１３Ａ〜１５Ｅに基づく表示セル５ａ１、５ａ２、５ｂ１、５ｂ２、５ｂ３、５ｃ１、５ｃ２が表示される。表示セル５ａ１、５ａ２、５ｂ１、５ｂ２、５ｂ３、５ｃ１、５ｃ２は、矩形状に形成されたセルによってマス目を形成して各々配置されている。表示セル５ａ１、５ａ２、５ｂ１、５ｂ２、５ｂ３、５ｃ１、５ｃ２は、上から表示セル５ａ１、５ａ２、表示セル５ｂ１、５ｂ２、５ｂ３、表示セル５ｃ１、５ｃ２の順に配置されている。
【００２７】
表示セル５ａ１、５ａ２は、図１に示すようにアドレス１３Ａ〜１３Ｅに対応した２つのマス目で表示されたセルである。表示セル５ａ１は、表示セル５ａ２の左側に隣接して配置されている。表示セル５ａ１は、妊娠を告知する妊娠告知アイコン３６が表示されている。妊娠告知アイコン３６は、円の中心に円状の点があるアイコンである。表示セル５ａ２は、出産予定日として年、月、日が表示される。
【００２８】
表示セル５ｂ１、５ｂ２、５ｂ３は、図１に示すようにアドレス１４Ａ〜１４Ｅに対応した３つのマス目で表示されたセルである。表示セル５ｂ１は、表示セル５ｂ２、５ｂ３の左側に隣接して配置されており、表示セル５ｂ２は、表示セル５ｂ３の上側に隣接して配置されている。表示セル５ｂ１は、次回の生理予定日を表すための次回生理予定日アイコン３７が表示されている。次回生理予定日アイコン３７は、月の形状を示したアイコンである。表示セル５ｂ２は、プログラムからの自動計算により次回の生理予定日を表す月、日が表示される。表示セル５ｂ３は、プログラムからの自動計算により、予測困難なときは特定できませんと表示するセルである。予測困難なときとは、後述する頸管粘液による検知による各生理周期のデータと、過去の平均周期日数に基づくデータとを比較して誤差が大きい場合等が該当する。
【００２９】
表示セル５ｃ１、５ｃ２は、図１に示すようにアドレス１５Ａ〜１５Ｅに対応した２つのマス目で表示されたセルである。表示セル５ｃ１は、表示セル５ｃ２の左側に隣接して配置されている。希望する出産月を表すための希望出産月設定アイコン３８が表示されている。希望出産月設定アイコン３８は、笑顔が示されたアイコンである。なお表示セル５ａ１、５ａ２、５ｂ１、５ｂ２、５ｂ３、５ｃ１、５ｃ２は、自動表示を行う表示欄として用いられているセルであるため手動で入力することができない。
【００３０】
メモ表示部７は、図１に示すように第一表示画面２２の下端に矩形状に形成された領域に配置されている。メモ表示部７は、第三表示画面２６で入力されたメモの情報が表示される。第三表示画面２６は、メモするためのメモ入力表示部２６ａと、メモ入力表示部２６ａに入力するためのメモ入力キー表示部２６ｂとを備える。メモ入力表示部２６ａは、矩形状の領域で示されて表示される。メモ入力キー表示部２６ｂは、メモ入力表示部２６ａの下に配置されており、矩形状の領域内で英字、数字及び文字等を入力するための入力キー（図示しない）が配列されて表示される。その配列された入力キーをタッチしてメモを入力し、入力キーの中の決定キー（図示しない）をタッチすることで第一表示画面２２に切り替わり、第一表示画面２２のメモ表示部７にメモの情報が表示されて記憶される。
【００３１】
次に、表示装置に関する各機能について説明する。
＜時計機能、カレンダー機能＞
表示装置は、カレンダーに基づくカレンダー機能と、時計機能とを有する。時計機能は、２４時間経過する毎に日付が更新可能であり、この時計機能に基づいて、カレンダー機能より年、月、日及び曜日が決定され、この決定に伴う日付は、カレンダー表示部３（表示部１０）に表示される。
【００３２】
＜アイコン表示機能＞
表示装置は、各種アイコンを表示する機能を有する。図３に示される生理初日日アイコン３１と、頸管粘液少アイコン３２と、頸管粘液中アイコン３３と、頸管粘液多アイコン３４と、性交アイコン３５と、妊娠告知アイコン３６と、妊娠告知次回生理予定日アイコン３７と、希望出産月設定アイコン３８等とを表示部１０に表示して、ＲＡＭ６等に記憶することができる。また、第一表示画面２２、第二表示画面２４及び第三表示画面２６との間でそれぞれリンクしながら各アイコンが表示されて、ＲＡＭ６等に記憶することができる。
【００３３】
＜カレンダー表示機能＞
図１に示されるカレンダー表示部３のカレンダーの日付において、今日を示す当日は、その当日に該当するセルが着色して表示される。後述する妊娠可能期間を示す日付のセルに対しては、着色されたセルが点滅して妊娠可能期間であることを報知する。
【００３４】
＜排卵日特定機能＞
排卵日を特定する方法として、生理周期日Ｓから特定される方法がある。図６に示される生理周期日Ｓは、ある生理初日日から、次の生理初日日の前日までの生理周期の周期日数を１周期として得られた過去の各生理周期から演算して特定した平均周期日数である。平均周期日数は、生理初日日の情報をＲＡＭ６に記憶し、その記憶した情報に基づいてＲＯＭ４等のプログラム等により演算される。平均周期日数は、直近３周期以上６周期以内の各生理周期データのうち、３周期分以上のデータから算出される。その平均周期日数に基づいた生理周期日Ｓから１４日を引いた日数を排卵日ｎＳ（排卵日ｎＳ＝生理周期日Ｓ−１４）として示される。（荻野式に準拠）排卵日ｎＳに対応する生理初日日を第１日として生理周期日Ｓ内の経過した日数が、周日データの情報としてＲＡＭ６に記憶される。また排卵日ｎＳに対応する特定排卵日が、カレンダー機能に基づいた年、月、日及び曜日としてＲＡＭ６に記憶される。なお排卵日ｎＳは、本発明の特定周期排卵日に相当する。また、この場合のＲＡＭ６は、本発明の生理初日日記憶手段、周期情報記憶手段又は特定排卵日記憶手段に相当する。
【００３５】
＜排卵日検知機能＞
排卵日を特定する方法として、ある生理周期日Ｍ内の頸管粘液の変化から検知する方法がある。図７に示される生理周期日Ｍは、ｎ回生理初日日からｎ＋１回生理初日日の前日までの生理周期の周期日数である。ｎ回生理周期内において、生理初日日を第１日として経過した日数を排卵日ｎＭとして示される。排卵日ｎＭは、頸管粘液を用いた検知結果に基づいた排卵日である。排卵日ｎＭは、生理初日日を第１日として経過した日数とした周日データの情報としてＲＡＭ６に記憶される。また排卵日ｎＭに対応する検知排卵日が、カレンダー機能に基づいた年、月、日及び曜日としてＲＡＭ６に記憶される。なお排卵日ｎＭは、本発明の検知周期排卵日に相当する。またこの場合のＲＡＭ６は、本発明の生理初日日記憶手段、頸管粘液情報記憶手段又は検知排卵日記憶手段に相当する。
【００３６】
次に、排卵日ｎＭの検知について説明する。排卵日ｎＭの検知は、いわゆる頸管粘液法による検知方法である。頸管粘液法は、生理初日日から排卵が行われる日に近づくにつれて頸管から粘液が排出され、その排出された粘液の粘度を測定するため、その粘液を用いた引っ張りテストでの伸び具合から排卵日ｎＭを検知する。引っ張りテストは、その粘液を摘み取って、親指と人差し指の間に粘液を挟んだ状態で、親指と人差し指を接触させた状態から、親指と人差し指を離した状態へとする際に、粘液が引っ張られる度合い（長さ）の結果により測定される。その測定結果から３段階のアイコンで入力し、その引っ張られる伸びの度合いの変化から排卵日ｎＭを決定する。
【００３７】
ついで、図８に示される排卵日ｎＭの検知のフローについて説明する。排卵日ｎＭの検知は、まず検知された日が、生理初日日の情報が記憶されており、この生理初日日から所定日数が経過されているか判定される。（ステップＳ１０１）生理初日日の入力がカレンダー表示部３になされておらず、生理初日日の情報が記憶されていなかった場合等でデータが不足している場合は、そのまま終了する。既に生理初日日の情報が記憶されており所定日数が経過されていることが確認できる場合には次のステップに移る。
【００３８】
次のステップでは、ステップＳ１０１で生理初日日の情報が記憶されていた場合で、かつ、この生理初日日における生理周期内で頸管粘液の伸びが僅かにあった日の情報が記憶されているか否かが判定される。（ステップＳ１０３）ステップＳ１０１で生理初日日の情報が確認できない又は頸管粘液の伸びがない場合には、そのまま終了する。生理初日日の情報が記憶した日があり、かつ、頸管粘液の伸びが僅かにあった日の情報が記憶されていた場合は、次のステップに移る。
【００３９】
また次のステップでは、この生理周期内の生理初日日の情報を記憶した日があり、かつ、引っ張りテストで１０ｃｍ以上伸びた情報を記憶した日があるか否かが判定される。（ステップＳ１０５）生理初日日の情報を記憶した日がない、又は引っ張りテストで１０ｃｍ以上伸びた情報を記憶した日がない場合は、そのまま終了する。引っ張りテストで１０ｃｍ以上伸びた情報を記憶した日がある場合は、次のステップに移る。
【００４０】
また次のステップでは、この生理周期内の生理初日日の情報を記憶した日があり、かつ、この生理周期内の引っ張りテストで１０ｃｍ以上伸びた情報を記憶した日があり、さらに、引っ張りテストで伸びが減少し始めた情報を記憶した日があるか否かが判定される。（ステップＳ１０７）伸びが減少し始めた情報でない場合は、そのまま終了する。この生理周期内の生理初日日の情報の記憶があり、かつ、この生理周期内の引っ張りテストで１０ｃｍ以上伸びた情報の日の記憶があり、さらに、伸びが減少し始めた情報がある場合は、次のステップに移る。
【００４１】
また次のステップでは、この伸びが減少し始めた情報に基づいて、この生理周期内の生理初日日の情報を記憶した日があり、かつ、この生理周期内の引っ張りテスト１０ｃｍ以上となった情報を記憶した日があり、さらに、この引っ張りテスト１０ｃｍ以上となった日から３日以上経過時に頸管粘液の伸びが僅かであった情報を記憶した日があったか否かが判定される。（ステップＳ１０９）この生理初日日の情報を記憶した日がない場合、引っ張りテスト１０ｃｍ以上となった日から３日以上経過していない場合、又は引っ張りテスト１０ｃｍ以上となった日から３日以上経過していても頸管粘液の伸びが僅かとなっていない場合は、そのまま終了する。この生理初日日の情報を記憶した日があり、かつ、この引っ張りテスト１０ｃｍ以上となった情報を記憶した日から３日以上経過しており、さらに、この３日以上経過時に頸管粘液がほとんど伸びず、頸管粘液の伸びが僅かであった情報を記憶した日がある場合は、次のステップに移る。
【００４２】
また最後のステップでは、この生理周期内の生理初日日の情報を記憶した日があり、かつ、この生理周期内の引っ張りテスト１０ｃｍ以上となった情報を記憶した日から３日以上経過しており、さらに、この記憶した日の後日で、頸管粘液がほとんど伸びず、頸管粘液の伸びが僅かであった情報が記憶されている当日の３日前を排卵日ｎＭと決定する。（ステップＳ１１１）それに伴い、排卵日ｎＭがＲＯＭ４のプログラムによる自動計算により算出され、ＲＡＭ６に記憶される。以上で排卵日ｎＭの検知が終了する。
【００４３】
＜妊娠可能期間の表示機能＞
妊娠可能期間は、予めＲＡＭ６に記憶された過去の生理周期日により特定した特定排卵日と、頸管粘液法より検知された検知排卵日とを比較し、生理初日日に近い方を基準日として演算される。即ち、妊娠可能期間は、ＲＡＭ６により記憶された排卵日ｎＳ（特定周期排卵日）の日数と、ＲＡＭ６により記憶された排卵日ｎＭ（検知周期排卵日）の日数とを比較して、各日数のうち少ない日数を妊娠可能期間の基準の排卵日とする基準排卵日ｎＢとし、この基準排卵日ｎＢに基づいて演算された期間である。この演算された期間がＲＡＭ６に記憶され、カレンダー表示部３で表示される。なお、この場合のＲＡＭ６は、妊娠可能期間記憶手段に相当する。また、妊娠可能期間記憶手段の情報に基づいて、妊娠可能期間の開始日を記憶することができる。なお、この場合、別途、妊娠可能期間の開始日を記憶するための妊娠可能期間開始記憶手段を備えるようにして設定してもよい。
【００４４】
次に、図９に示される妊娠可能期間表示のフローについて説明する。まず、生理周期日Ｓと排卵日ｎＭ（検知周期排卵日）の直近３周期分以上のデータが揃っているか否かが判定される。（ステップＳ２０３）直近３周期分以上のデータが揃っていない場合は、生理初日日を第１日として７日目より当日からカレンダー表示部３（カレンダー表）の日付セルを点滅可能に設定される。（ステップＳ２１９）そうすることで、生理初日日から７日目以降は、妊娠可能期間と判断されて、各表示セル３ｃの日付セルが、妊娠可能期間として点滅される。なおこの点滅は、次回の生理初日日の入力がなされた時点で、終了し点灯表示に戻る。直近３周期分以上のデータが揃っている場合は、次のステップに移る。（ステップＳ２０３）
【００４５】
次のステップでは、生理周期日Ｓより特定された排卵日ｎＳと、ある生理周期日Ｍより頸管粘液より検知された排卵日ｎＭの算出を行う。（ステップＳ２０５）その算出を行うと次のステップに移り、排卵日ｎＳと排卵日ｎＭの比較を行い生理初日日に近い方を基準排卵日ｎＢとして選択する。（ステップＳ２０７）選択すると次のステップに移る。
【００４６】
また次のステップでは、排卵日ｎＳと排卵日ｎＭとを比較した結果に対する基準排卵日ｎＢが決定したか否かが判定される。（ステップＳ２０９）決定していない場合は、ステップＳ２０５に戻る。決定した場合は、次のステップに移る。
【００４７】
また次のステップでは、この決定に基づいて、基準排卵日ｎＢ−６を妊娠可能期間表示の開始日と設定される。（ステップＳ２１１）そして次のステップでは、その設定に基づいて、カレンダー表示部３の当日の表示セル３ｃは、妊娠可能期間表示として点滅表示可能に設定される。（ステップＳ２１３）妊娠可能期間の間に当日（今日）となった場合には、この妊娠可能期間表示に基づいてセルが点滅表示される。この処理が終了すると次のステップに移る。
【００４８】
また次のステップでは、妊娠可能期間中で、かつ、カレンダー表示部３の日付の当日が、基準排卵日ｎＢの２日前から基準排卵日ｎＢまでの日であるか否かが判定される。（ステップＳ２１５）判定されない場合には、そのまま処理が終了する。判定される場合は、次のステップに移る。
【００４９】
また次の最後のステップでは、基準排卵日ｎＢが２日前と判定されたことに基づいて、カレンダー表示部３の当日が基準排卵日ｎＢの２日前である場合は、その当日の表示セル３ｃの点滅が速くなるように設定される。（ステップＳ２１７）なお、基準排卵日ｎＢの当日に近づくにつれて、さらに点滅が速くなるように設定してもよい。以上で妊娠可能期間表示が終了する。
【００５０】
次に、図１０に示される妊娠可能期間表示点滅停止のフローについて説明する。まず、カレンダー表示部３の当日の日付セルが妊娠可能期間であるか否かが判定される。（ステップＳ３０１）妊娠可能期間でない場合は、そのまま処理が終了する。当日が妊娠可能期間である場合は、次のステップに移る。
【００５１】
また次のステップでは、排卵日ｎＭが検知されているか否かが判定される。（ステップＳ３０３）排卵日ｎＭが検知されていないと判定されるとそのまま処理が終了する。排卵日ｎＭが検知されると次のステップに移る。
【００５２】
また次のステップでは、この排卵日ｎＭの検知により当日の３日前が排卵日と判定されたと記憶されているとセルの点滅表示が停止する。卵子の生存期間は２４時間であり、この時点でこの排卵日ｎＭから３日程度経過しており妊娠する可能性が低くなる期間に入っているため妊娠可能期間の終了を示す。（ステップＳ３０５）
【００５３】
また次の最後のステップでは、その点滅表示されたセルが点灯表示になる。（ステップＳ３０７）以上で妊娠可能期間表示点滅停止の処理が終了する。
【００５４】
＜妊娠告知機能＞
妊娠告知機能として行われる妊娠告知表示は、タッチパネル（画面操作部１２）により入力して、性交が行われた日の情報をＲＡＭ６に記憶し、妊娠と判断して妊娠の告知をするための妊娠告知情報をＲＡＭ６に記憶して、その妊娠告知情報がカレンダー表示部３に表示される。性交を表す性交アイコン３５が表示入力されて、その性交アイコン３５が入力された生理周期内で、頸管粘液の状態から検知された排卵日ｎＭから数えて所定日数（例えば、２１日）が経過しても次回生理が来ないときは、第一表示画面２２の自動表示部５に妊娠告知アイコン３６が表示される。なお、この場合のＲＡＭ６は、本発明の性交日情報記憶手段又は妊娠告知情報記憶手段に相当する。
【００５５】
次に、図１１に示される妊娠告知表示のフローについて説明する。まず、性交アイコン３５（性交日）が入力されたか否かが判定される。（ステップＳ５０１）性交アイコン３５が入力されていない場合は、性交アイコン３５が入力されるまで同処理が繰り返される。性交アイコン３５が入力されると次のステップに移る。
【００５６】
次のステップでは、前述した排卵日検知に基づいた頸管粘液による測定から排卵が検知されたか否かが判定される。（ステップＳ５０３）排卵が検知されていない場合は、同処理が繰り返される。検知された場合は、次のステップに移る。
【００５７】
また次のステップでは、生理予定日が過ぎたか否かが判定される。（ステップＳ５０５）その日が過ぎていない場合は、同処理が繰り返され待機する。その日が過ぎた場合は、次のステップに移る。
【００５８】
また次のステップでは、排卵日ｎＭから２１日以上経過したかが判定される。（ステップＳ５０７）２１日以上経過していない場合は、同処理が繰り返され待機する。２１日以上経過している場合は、妊娠告知アイコン３６が表示される。以上で、妊娠告知表示が終了する。
【００５９】
＜出産予定日算出機能＞
出産予定日は、妊娠告知アイコン３６が表示されると、出産予定日が計算されて、ＲＡＭ６に記憶され、出産予定日が表示セル５ａ２に表示される。妊娠告知アイコン３６の表示後、次回生理が来たときには、次回生理初日日の設定とともに、妊娠告知アイコン３６と、出産予定日は自動的にリセットされる。なお、この場合のＲＡＭ６は、本発明の出産予定日記憶手段に相当する。
【００６０】
次に、図１２に示される出産予定日表示のフローについて説明する。まず、妊娠と判断し妊娠告知表示が行われたか否かが判定される。（ステップＳ６０１）妊娠告知表示が行われていない場合は、同処理が繰り返され待機する。妊娠告知表示が行われた場合は、次のステップに移る。
【００６１】
次のステップでは、出産予定日が計算され、次のステップに移る。（ステップＳ６０３）また次のステップでは、排卵日ｎＭ＋２６５日で算出された出産予定日を表示され、次のステップに移る。（ステップＳ６０５）最後のステップでは、次回の生理初日日が入力されたか否かが判定される。次回の生理初日日が入力されれば、その設定と共に、出産予定日は取り消し処理が行われ、妊娠告知アイコン３６と、出産予定日の表示がリセットされる。（ステップＳ６０９）次回の生理初日日が入力されなければ、以上で出産予定日表示が終了する。
【００６２】
＜次回生理予定日算出機能＞
次回生理予定日は、予めＲＡＭ６に記憶された生理周期における直近３周期以上６周期以下の生理周期日Ｓ（平均周期日数）と、予めＲＡＭ６に記憶された直近３周期以上６周期以下の頸管粘液に伴う排卵日ｎＭ（検知周期排卵日）の平均値を基準にＲＯＭ４等のプログラムにより算出され、ＲＡＭ６に記憶される。今回の生理初日日が入力されたと同時に第一表示画面２２に次回生理予定日アイコン３７が表示され、その予定日に対応して月、日が表示される。直近３周期以上６周期以内において、各生理周期の周期日数のデータのうち、最も長い生理周期である最長生理周期Ｘと、最も短い生理周期である最短生理周期Ｙとの差が所定日数より大きくなった場合は、生理不順とみなし次回生理予定日表示不能通知を行う。この場合のＲＡＭ６は、本発明の次回生理予定日記憶手段に相当する。
【００６３】
次に、図１３に示される次回生理予定日の表示のフローについて説明する。まず、直近３周期以上６周期以下の平均周期日数とする日数Ａと、直近３周期以上６周期以下の頸管粘液から検知された各排卵日ｎＭの平均値＋１４日とする日数Ｂとの比較が行われる。（ステップＳ７０１）次のステップでは、日数Ａと日数Ｂとを比較して日数が小さい方が選択される。（ステップＳ７０３）また次のステップでは、今回の生理初日日が入力されたか否かが判定される。（ステップ７０５）今回の生理初日日が入力されなかった場合は、同処理が繰り返され、待機する。今回の生理初日日が入力されていると判定された場合は、次のステップに移る。最後のステップでは、次回生理予定日を表示する。（ステップＳ７０７）以上で次回生理予定日の表示が終了する。
【００６４】
次に、図１４に示される次回生理予定日表示不能通知のフローについて説明する。まず、予めＲＡＭ６に記憶された直近３周期以上６周期以下の各生理周期のデータから、最も長い日数の生理周期である最長生理周期Ｘと、最も短い日数の生理周期である最短生理周期Ｙとを比較する。（ステップＳ８０１）次のステップでは、最長生理周期Ｘと最短生理周期Ｙとの差が１０日より大きいか否かが判定される。（ステップＳ８０３）１０日より大きくない場合は、そのまま不能通知を行わず終了する。１０日より大きい場合は、次のステップに移る。最後のステップでは、次回生理予定日表示不能通知として、ＲＯＭ４等のプログラムによる自動計算により自動表示部５の表示セル５ｂ３に特定できませんの文字を表示する。（ステップＳ８０５）以上で次回生理予定日表示不能通知を終了する。
【００６５】
＜希望出産月設定に伴う妊娠推奨日算出機能＞
図１５に示される希望出産月は、第一表示画面２２の表示セル５ｃ１の希望出産月設定アイコン３８をタッチ（タップ）することにより、第二表示画面２４に切り替えられ、第二表示画面２４の入力キー（図示しない）をタッチして年、月が設定される。また生理周期日Ｓ（平均周期日数）と各排卵日ｎＭ（検知周期排卵日）の平均値＋１４に伴う日数Ｂとにより、希望出産月までの各生理周期の排卵日は、ＲＯＭ４等のプログラムにより算出され、ＲＡＭ６に記憶される。また妊娠し易い日として推奨する妊娠推奨日が希望出産月等の情報に基づいてプログラムにより算出され、第一表示画面２２の表示部１０に該当する日付の表示セルに表示される。この場合のＲＡＭ６は、本発明の希望出産月記憶手段又は妊娠推奨日記憶手段に相当する。
【００６６】
次に図１６に示される希望出産月の設定と出産予定日の表示のフローについて説明する。まず、希望出産月の設定と、その設定を行った入力の設定日の設定が行われ、ＲＡＭ６に記憶される。（ステップＳ４０１）なお図１５に示される例では、入力の設定日が２０１４年１２月１０日とされており、希望出産月の設定が２０１５年１１月とされている。
【００６７】
次のステップでは、次回生理予定日をプログラムにより算出するための直近３周期以上６周期以下の頸管粘液から検知された各排卵日ｎＭの平均値である平均排卵日Ｎが計算されているか否かが判定される。（ステップＳ４０３）計算されていなければ、データ不足としてエラーを表示部１０等により一定時間報知し、計算されるまで同処理を繰り返し待機する。（ステップＳ４１９）なおエラーの表示は、このステップにおいて同処理を繰り返しても１回のみとしてもよい。このステップで計算されていると判定されると次のステップに移る。なお図１５に示される例では、予めＲＡＭ６に記憶された過去のデータ（図示しない）とこの計算に基づいて、平均排卵日Ｎは、予め生理周期日Ｓ（平均周期日数）を２８日と仮定しＳ−１４日として算出されている。
【００６８】
また次のステップでは、生理周期における直近３周期以上６周期以下の生理周期日Ｓ（平均周期日数）が計算されているか否かが判定される。（ステップＳ４０５）計算されていなければ、データ不足としてエラーを表示部１０等により一定時間報知し、計算されるまで同処理を繰り返し待機する。（ステップＳ４２１）なおエラーの表示は、このステップにおいて同処理を繰り返しても１回のみとしてもよい。このステップで計算されていると判定されると次のステップに移る。なお図１５に示される例では、予めＲＡＭ６に記憶された過去にデータ（図示しない）とこの計算に基づいて、生理周期日Ｓは、前述したとおり予め２８日として算出されている。
【００６９】
また次のステップでは、図１５及び図１６に示される直近３周期以上６周期以下の頸管粘液から検知された各排卵日ｎＭ（検知周期排卵日）の平均値に基づく平均排卵日Ｎと、直近３周期以上６周期以下の生理周期日Ｓ（平均周期日数）とにより、ＲＯＭ４等のプログラムによる自動計算が行われる。この自動計算により、ステップＳ４０１の設定日より後の日で最初の排卵日として算出された第１回の排卵日から妊娠推奨月ＳＸ（後述する妊娠を推奨する候補となる妊娠推奨候補日Ｃ２に該当する月）に該当する第ｎ回の排卵日までが算出されて、次のステップに移る。（ステップＳ４０７）なお図１５に示される例では、第ｎ回の排卵日が第４回の排卵日となるため、第１回の排卵日から第４回の排卵日までが算出されている。第１回の排卵日が２０１４年１２月２９日、第２回の排卵日が２０１５年１月２６日、第３回の排卵日が２０１５年２月２３日、第４回の排卵日が２０１５年３月２３日として算出されていることが示されている。
【００７０】
また次のステップでは、妊娠推奨候補日Ｃ１と妊娠推奨候補日Ｃ２の設定を行う。妊娠推奨候補日Ｃ２は、希望出産月の月末−２６５日で算出される。妊娠推奨候補日Ｃ１は、妊娠推奨候補日Ｃ２から３１、又は直近３周期以上６周期以下の各生理周期のうち最長である生理周期ＳＬの日数うちの長い方を差し引いた日として設定される。（ステップＳ４０９）この設定が行われると次のステップに移る。なお図１５に示される例では、妊娠推奨候補日Ｃ２は、２０１５年３月１０日、妊娠推奨候補日Ｃ１は、２０１５年２月７日として算出されていることが示されている。
【００７１】
また次のステップでは、妊娠推奨月ＳＸの設定ができているか否かが判定される。（ステップＳ４１１）妊娠推奨月ＳＸは、妊娠推奨候補日Ｃ２に該当する月として設定される。図１５に示される例では、妊娠推奨月ＳＸは、２０１５年３月と算出されて設定されている。この設定ができていない場合は、再設定するように知らせる旨を表示部１０等により一定時間報知し、再設定されるまで同処理が繰り返されて待機する。（ステップＳ４１１）なお再設定するように知らせる旨の報知は、このステップで同処理を繰り返しても１回としてもよい。この設定が行われると次のステップに移る。
【００７２】
また次のステップでは、生理周期日Ｓと平均排卵日Ｎとからプログラムにより算出された第１回の排卵日が妊娠推奨候補日Ｃ２より前の日か否かが判定される。（ステップＳ４１３）この排卵日が妊娠推奨候補日Ｃ２よりも前の日でない場合は、設定変更するようにその旨を一定時間報知し、同処理が繰り返される。（ステップＳ４２５）なお設定変更する旨の報知をこのステップで同処理を繰り返しても１回としてもよい。前の日である場合は、次のステップに移る。なお図１５に示される例では、第１回の排卵日が妊娠推奨候補日Ｃ２よりも前の日であるため、次のステップに移ることができる場合として示されている。
【００７３】
また次のステップでは、生理周期日Ｓと平均排卵日ＮとからＲＯＭ４等のプログラムにより算出された第ｎ回の排卵日が妊娠推奨候補日Ｃ２＞第ｎ回の排卵日＞妊娠推奨候補日Ｃ１の条件を満たした日か否かが判定される。（ステップＳ４１５）この満たした日がある場合は、図１５に示すようにこの日が妊娠推奨排卵日として表示部１０に表示される。またこの妊娠推奨排卵日からＲＯＭ４等のプログラムにより自動計算されて出産予定日が算出されて表示部１０に表示される。（ステップＳ４１６）なお図１５に示される例では、この算出方法により、第３回の排卵日が該当して、妊娠推奨排卵日が２０１５年２月２３日とされ、その日に伴う出産予定日が２０１５年１１月１５日とされている。
【００７４】
ステップＳ４１５でこの条件を満たした日がない場合は、第ｎ回目の排卵日が妊娠推奨候補日Ｃ２よりも後の日となるか否かが判定される。（ステップＳ４１７）後の日となると判定されなかった場合は、ステップＳ４１５に戻る。後の日となると判定された場合は、妊娠推奨日の設定ができないため、設定変更の指示をして終了する。（ステップＳ４２７）
【００７５】
本実施形態は、以下のような作用効果を有する。本実施形態において、この女性用電子カレンダーシステムでは、ＲＡＭ６（妊娠可能期間記憶手段）は、ＲＡＭ６（特定排卵日記憶手段）により記憶された排卵日ｎＳ（特定周期排卵日）の日数と、ＲＡＭ６（検知排卵日記憶手段）により記憶された排卵日ｎＭ（検知周期排卵日）の日数とを比較して、各日数のうち少ない日数を妊娠可能期間又は妊娠可能期間開始の基準の排卵日とする基準排卵日ｎＢとしているので、この基準排卵日ｎＢを妊娠可能期間又は妊娠可能期間開始のための排卵日として記憶することができる。そうすることで、安全性（避妊）を考慮して、生理開始日から排卵の予定日までの最短の日数の排卵日を選択可能にし、妊娠可能期間は、妊娠可能期間の開始日からこの排卵日まで、精子の生存期間を勘案して必要かつ十分な日数を設定できる。また荻野式を用いた特定による排卵日ｎＳと、頸管粘液法に基づく排卵日ｎＭとの対比により比較的高い精度の排卵日の情報を提供することができる。さらにこの基準排卵日ｎＢに基づいて演算された妊娠可能期間を記憶するので、妊娠可能期間においてカレンダー表を用いて女性の妊娠に関する情報を比較的簡単、便利及び高い精度で表示することができる。
【００７６】
またこの場合、妊娠可能期間の開始日に基づいて安全性を考慮した生理開始日から排卵の予定日までの最短の日数の排卵日が決定されるので、排卵日ｎＳと排卵日ｎＭとを特定及び検知することで比較的高い精度で妊娠可能期間の表示を終了することができる。
【００７７】
さらにこの条件で、ＲＯＭ６等のプログラムにより、ＲＡＭ４（検知排卵日記憶手段）により記憶された排卵日ｎＭにより出産予定日の計算を行う場合は、ＲＡＭ４（妊娠可能期間記憶手段及び出産予定日記憶手段）によりこの基準排卵日ｎＢに基づいて演算された妊娠可能期間の開始日の表示、排卵日ｎＭに基づいて演算された妊娠可能期間の終了、排卵日ｎＭに基づいて演算された出産予定日を記憶できる。したがって、比較的高い精度の出産予定日の情報を表示可能となる上、カレンダー表を用いて女性の妊娠、避妊又は出産に関する情報を比較的簡単、便利及び高い精度で表示することができる。
【００７８】
またこの女性用電子カレンダーシステムでは、画面操作部１２（タッチパネル）により性交が行われた日とする性交日（性交アイコン３５）の情報を入力して、性交日の情報を記憶するためのＲＡＭ６（性交日情報記憶手段）と、このＲＡＭ６により記憶された情報と、ＲＡＭ６（検知排卵日記憶手段）により記憶された排卵日ｎＭ（検知周期排卵日）の情報とに基づいて、妊娠と判断して妊娠の告知をするための妊娠告知情報を記憶するためのＲＡＭ６（妊娠告知情報記憶手段）とを備える。また女性用電子カレンダーシステムは、このＲＡＭ６に基づいて、カレンダー表示手段により妊娠告知情報をカレンダー表に表示するＲＡＭ６（妊娠告知情報表示手段）を備えることが好ましい。この場合、妊娠の告知に関する情報を比較的簡単、便利及び高い精度で提供することができる。
【００７９】
またこの女性用電子カレンダーシステムでは、ＲＡＭ６（妊娠告知情報記憶手段）の情報に基づいて演算された出産予定日の情報を記憶するためのＲＡＭ６（出産予定日記憶手段）と、この出産予定日記憶手段の情報に基づいて、カレンダー表に出産予定日を表示する出産予定日表示手段とを備える。そうすることで、出産予定日に関する情報を比較的簡単、便利及び高い精度で提供することができる。
【００８０】
またこの女性用電子カレンダーシステムでは、画面操作部１２（タッチパネル）により希望出産月の情報を入力して、この希望出産月の情報を入力した日を設定日として、この設定日と、希望出産月の情報とを記憶するためのＲＡＭ６（希望出産月設定記憶手段）を備える。第一表示画面２２は、このＲＡＭ６の情報に基づいて演算された妊娠し易い日として推奨する妊娠推奨日を記憶するＲＡＭ６（妊娠推奨日記憶手段）を備える。そうすることで、希望出産月からＲＯＭ４等によるプログラムにより演算された妊娠推奨日に関する情報を比較的簡単、便利及び高い精度で提供することができる。
【００８１】
またこの女性用電子カレンダーシステムでは、画面操作部１２（タッチパネル）により生理初日日（生理初日日アイコン３１）を入力して、この生理初日日より演算された次回生理予定日の情報を記憶するためのＲＡＭ６（次回生理予定日記憶手段）を備える。またこのＲＡＭ６は、ＲＡＭ６（周期情報記憶手段）により演算された平均周期日数（生理周期日Ｓ）と、各生理周期内の検知周期排卵日（排卵日ｎＭ）における日数の平均値（平均排卵日Ｎ）とにより演算された次回生理予定日を記憶する。そうすることで、ＲＯＭ４等によりプログラムから演算された次回生理予定日に関する情報を比較的簡単、便利及び高い精度で提供することができる。
【００８２】
本実施形態の女性用電子カレンダーシステムは、上述した実施形態に限定されるものではなく他の形態でも実施できる。本実施形態では、女性用電子カレンダーシステムは、携帯電話、スマートフォン又はパソコンの画面等に適用したがこれらに限られるものではない。他の種類の表示装置や表示画面に適用してもよい。
【００８３】
また本実施形態のカレンダー表示部３は、１つの年月を表示するようにして適用したがこれに限られるものではない。カレンダー表示部３に複数の年月を表示できるようにしてもよい。
【００８４】
また本実施形態のＲＡＭ６は、１つのＲＡＭで構成されているがこれに限定されるものではない。複数のＲＡＭを用いて構成してもよい。
【００８５】
また本実施形態の女性用電子カレンダーシステムは、マイクロコンピュータＭＣＵに内蔵されたプログラムによるシステムにより起動されて構成されている。この場合、マイクコンピュータＭＣＵの稼動自体に必要となるシステムソフトウェアとして起動させるようにしてもよいし、ユーザがマイクロコンピュータＭＣＵ上で実行したい作業を実施するためのアプリケーションソフトウェアとして、起動させるように構成してもよい。
【符号の説明】
【００８６】
３     カレンダー表示部
４     ＲＯＭ
１２   画面操作部
３１   生理初日日アイコン
３５   性交アイコン
Ｎ     平均排卵日
ｎＢ   基準排卵日
ｎＭ   排卵日
ｎＳ   排卵日
Ｓ     生理周期日
【図１】
2016189142.tif 000003
【図２】
2016189142.tif 000004
【図３】
2016189142.tif 000005
【図４】
2016189142.tif 000006
【図５】
2016189142.tif 000007
【図６】
2016189142.tif 000008
【図７】
2016189142.tif 000009
【図８】
2016189142.tif 000010
【図９】
2016189142.tif 000011
【図１０】
2016189142.tif 000012
【図１１】
2016189142.tif 000013
【図１２】
2016189142.tif 000014
【図１３】
2016189142.tif 000015
【図１４】
2016189142.tif 000016
【図１５】
2016189142.tif 000017
【図１６】
2016189142.tif 000018